(57)【要約】【課題】多様化した決済種別を構成する各種の構成要素毎の決済金額を集計することができる商品販売データ処理装置を提供する。【解決手段】売上商品に係るデータ入力に基づいて算出した売上合計金額に対する決済にかかる決済種別を構成する各種の構成要素を判定手段により判定し、判定された決済種別を構成する各種の構成要素毎の決済金額を集計手段により集計する。これにより、多様化した決済種別を構成する各種の構成要素毎の決済金額を集計することができる。【選択図】図８
2010204774.tif 000002
【特許請求の範囲】
【請求項１】
売上商品に係るデータ入力に基づいて算出した売上合計金額に対する決済にかかる決済種別を構成する各種の構成要素を判定する判定手段と、
前記決済種別判定手段によって判定された前記決済種別を構成する各種の構成要素毎の決済金額を集計する集計手段と、
を備えることを特徴とする商品販売データ処理装置。
【請求項２】
前記判定手段は、前記決済種別を構成する各種の構成要素を選択的に指定可能な複数のプリセットボタンが配列されたプリセット画面を表示器に表示し、指定を受け付けた前記プリセットボタンに応じて前記決済種別を構成する各種の構成要素を判定する、
ことを特徴とする請求項１記載の商品販売データ処理装置。
【請求項３】
前記判定手段は、売上合計金額に対する決済において現金の代わりに用いる金券の種類を前記決済種別を構成する各種の構成要素として前記各プリセットボタンに割り付ける、
ことを特徴とする請求項２記載の商品販売データ処理装置。
【請求項４】
前記集計手段により集計した前記決済種別を構成する各種の構成要素毎の決済金額を、所定のタイミングで上位機種に出力する出力手段を更に備える、
ことを特徴とする請求項１ないし３のいずれの一記載の商品販売データ処理装置。
【発明の詳細な説明】
【技術分野】
【０００１】
本発明は、商品販売データ処理装置に関する。
【背景技術】
【０００２】
例えば、特許文献１には、店側が顧客から受け取った金券について、その金券発行者に対する代金請求を効率的に行えるようにした金券の請求データ生成システムが開示されている。
【発明の概要】
【発明が解決しようとする課題】
【０００３】
近年、スーパーマーケットやコンビニエンスストアなどにおける商品購入の際の決済方法が多様化してきている。多様化した決済種別としては、現金、クレジットカード、電子マネー、商品券などによる決済が挙げられる。また、決済種別を構成する各種の構成要素（例えば、クレジットカード会社別、電子マネーの発行会社別、金券の種類など）も多様化している。
【０００４】
しかしながら、特許文献１に記載のシステムによれば、顧客から受け取った金券（商品券）のみについてデータを集計するようにしており、他の決済種別および決済種別を構成する各種の構成要素には対応していない、という問題がある。
【０００５】
本発明は、上記に鑑みてなされたものであって、多様化した決済種別を構成する各種の構成要素毎の決済金額を集計することができる商品販売データ処理装置を提供することを目的とする。
【課題を解決するための手段】
【０００６】
上述した課題を解決し、目的を達成するために、本発明の商品販売データ処理装置は、売上商品に係るデータ入力に基づいて算出した売上合計金額に対する決済にかかる決済種別を構成する各種の構成要素を判定する判定手段と、前記決済種別判定手段によって判定された前記決済種別を構成する各種の構成要素毎の決済金額を集計する集計手段と、を備えることを特徴とする。
【発明の効果】
【０００７】
本発明によれば、売上商品に係るデータ入力に基づいて算出した売上合計金額に対する決済にかかる決済種別を構成する各種の構成要素を判定し、判定された決済種別を構成する各種の構成要素毎の決済金額を集計することにより、多様化した決済種別を構成する各種の構成要素毎の決済金額を集計することができる、という効果を奏する。
【図面の簡単な説明】
【０００８】
【図１】図１は、本発明の実施の一形態にかかる商品販売データ処理システムの全体構成を概略的に示すブロック図である。
【図２】図２は、ＰＯＳ端末の電装系を示すブロック図である。
【図３】図３は、マスタＰＯＳ端末のＨＤＤにおけるファイル構成を示す模式図である。
【図４】図４は、サテライトＰＯＳ端末のＨＤＤにおけるファイル構成を示す模式図である。
【図５】図５は、金券プリセット画面を示す正面図である。
【図６】図６は、売上処理の流れを示すフローチャートである。
【図７】図７は、精算処理の流れを示すフローチャートである。
【図８】図８は、現金締めレポートを示す平面図である。
【発明を実施するための形態】
【０００９】
以下に添付図面を参照して、この発明にかかる商品販売データ処理装置の最良な実施の形態を詳細に説明する。
【００１０】
本発明の実施の一形態を図１ないし図８に基づいて説明する。ここで、図１は本発明の実施の一形態にかかる商品販売データ処理システム１００の全体構成を概略的に示すブロック図である。図１に示すように、商品販売データ処理システム１００は、チェーンを構成する複数の店舗にそれぞれ設置される店舗システム１０１と、チェーン本部に設置される本部システム１０２とを通信網１０３を介して接続することにより構成されている。通信網１０３は、例えばインターネットＶＰＮ（Virtual  Private  Network）により構築されている。
【００１１】
店舗システム１０１は、商品販売データ処理装置である複数台のサテライトＰＯＳ端末１とこれらのサテライトＰＯＳ端末１をＬＡＮ（Local  Area  Network）２によって接続して集中管理するマスタＰＯＳ端末３とで構成されている。また、ＬＡＮ２には、通信網１０３を介しての本部システム１０２との通信を可能とするブロードバンドルータ４も接続されている。一方、本部システム１０２は、互いにＬＡＮ５によって接続されたホストコンピュータ６、ファイアウォールなどの機能を搭載するネットワークサーバ７、ブロードバンドルータ８を備えている。
【００１２】
サテライトＰＯＳ端末１およびマスタＰＯＳ端末３は、店舗の精算場所に配設されてキャッシャが売上処理を行うためのものであり、図２に示すような構成とされている。サテライトＰＯＳ端末１およびマスタＰＯＳ端末３は、ＣＰＵ（Central  Processing  Unit）、制御プログラムを格納するＲＯＭ（Read  Only  Memory）、ＲＡＭ（Random  Access  Memory）等で構成されるＰＯＳ制御部１７を保有し、バス１９を介して接続された通信インタフェース２０から、ＬＡＮ３を介して相互にオンライン通信を実行し得るように構成されている。
【００１３】
また、ＰＯＳ制御部１７には、バス１９及びＩ／Ｏ機器制御部２１を介して、キーボード１２、タッチパネルを併設した表示器１４、クレジットカード等の磁気カード（図示せず）の読み取りを行うための磁気カードリーダ１５、商品コードを光学的に読み取るためのバーコードスキャナ１６、無線通信装置であるＲＦＩＤ（Radio  Frequency-Identification）タグリーダ２３とともに、プリンタ２２及びハードディスクドライブ装置（ＨＤＤ）１８が接続されている。プリンタ２２は、ＰＯＳ端末２の本体１１内に内蔵されたレシート／ジャーナルプリンタであり、売上処理に伴い、取引単位でレシートを発行するとともに、並行してジャーナル用紙への印字を行うものである。なお、ＲＦＩＤタグリーダ２３は、電子マネーとして機能するＩＣカードや携帯電話等（いずれも図示せず）に内蔵されている無線タグであるＲＦＩＤタグに記録されている情報を読み取るものである。
【００１４】
キーボード１２は、商品コードや金額等を入力するための置数キー、売上処理において現金による締めを宣言するための預／現計キー、売上合計金額の算出を宣言するための小計キー、各種商品を指定するためのＰＬＵキー、ＩＣカードに入金された電子マネーまたはＩＣカードに対応付けられた後払いで利用できる電子マネーによる電子商取引決済を宣言するための電子マネーキー、クレジットカードによる決済を宣言するためのクレジットキー、金券（商品券）による決済を宣言するための金券キー等の各種のキーをブロック毎に配列した外観構造を有している。
【００１５】
ＨＤＤ１８には、ＰＯＳ制御部１７のＣＰＵを動作させる制御プログラムが格納されている。サテライトＰＯＳ端末１とマスタＰＯＳ端末３とでは、ＨＤＤ１８に格納されている制御プログラムの違いにより、ＰＯＳ制御部１７のＣＰＵを動作させて実現する機能が異なっている。
【００１６】
マスタＰＯＳ端末３は、ＰＯＳ制御部１７のＣＰＵがＨＤＤ１８に記憶されている制御プログラムに従って動作することにより、図３に示すように、ＨＤＤ１８に商品マスタファイルＦ１、売上集計ファイルＦ２、摘要マスタファイルＦ３、摘要プリセットファイルＦ４等を格納している。商品マスタファイルＦ１は、商品コードに対応付けて商品名や単価を記憶するものである。売上集計ファイルＦ２は、各サテライトＰＯＳ端末１から送信される売上データを集計した売上集計データを記憶するものである。摘要マスタファイルＦ３は、詳細は後述するが、決済種別を構成する各種の構成要素に対応して摘要コード、摘要名称などを記憶するものである。ここで本実施例における摘要コードについて説明する。例えば、決済種別がクレジットカードであるなら、構成要素はクレジット会社コード、支払回数、支払区分となり、この構成要素ごとに摘要コードが割振られる。より具体的には摘要コード：０００１  クレジット会社コード：ＡＡＡＡ  支払区分：一括  支払回数：なし、摘要コード：０００２  クレジット会社コード：ＡＡＡＡ  支払区分：分割  支払回数：２、といった具合である。また、電子マネーに関しては電子マネー発行会社コードごとに適用コードが割当てられ、商品券に関しては商品券の種類ごとに摘要コードが割当てられる。摘要コード：００１０  商品券：１００円、摘要コード：００１０  商品券：２００円といった具合である。摘要プリセットファイルＦ４は、詳細は後述するが、摘要コードに対応付けて金券プリセット画面２００のプリセットボタン２０１（図５参照）を記憶するものである。
【００１７】
サテライトＰＯＳ端末１は、ＰＯＳ制御部１７のＣＰＵがＨＤＤ１８に記憶されている制御プログラムに従って動作することにより、図４に示すように、ＨＤＤ１８に商品マスタファイルＦ１１、ＰＯＳ売上ファイルＦ１２、摘要マスタファイルＦ１３、摘要プリセットファイルＦ１４等を格納している。商品マスタファイルＦ１１は、商品コードに対応付けて商品名や単価を記憶するものであって、マスタＰＯＳ端末３の商品マスタファイルＦ１の複製である。また、摘要マスタファイルＦ１３はマスタＰＯＳ端末３の摘要マスタファイルＦ３の複製、摘要プリセットファイルＦ１４はマスタＰＯＳ端末３の摘要プリセットファイルＦ４の複製である。
【００１８】
ＰＯＳ売上ファイルＦ１２は、サテライトＰＯＳ端末１におけるそれぞれの売上データを記憶するものである。ＰＯＳ売上ファイルＦ１２は、標準メモリエリアＦ１２ａ、現金締めメモリエリアＦ１２ｂ、摘要別メモリエリアＦ１２ｃを有している。摘要別メモリエリアＦ１２ｃは、決済種別を構成する各種の構成要素（クレジットカード会社（支払区分、支払回数）、電子マネーの発行会社、金券の種類など）毎に付与された摘要コード毎に、売上データを記憶するエリアである。現金締めメモリエリアＦ１２ｂは、現金によって決済された売上データを記憶するエリアである。標準メモリエリアＦ１２ａは、全売上データを記憶するエリアである。
【００１９】
本実施の形態にかかるサテライトＰＯＳ端末１で実行される制御プログラムは、判定手段、集計手段、出力手段を含むモジュール構成となっており、実際のハードウェアとしてはＰＯＳ制御部１７のＣＰＵがＨＤＤ１８から制御プログラムを読み出して実行することにより上記各部がＲＡＭ上にロードされ、判定手段、集計手段、出力手段がＲＡＭ上に生成されるようになっている。
【００２０】
サテライトＰＯＳ端末１のＰＯＳ制御部１７のＣＰＵは、ＨＤＤ１８にインストールされた制御プログラムにより、決定された決済種別の構成に対応する摘要コードごとに仕分けして金額を集計する（判定手段および集計手段）。
【００２１】
次に、ＨＤＤ１８に格納された制御プログラムがＰＯＳ制御部１７のＣＰＵに実行させる機能について説明する。なお、従来から行なわれている処理と同様の処理についてはその説明を省略する。図６は、売上処理の流れを示すフローチャートである。
【００２２】
まず、ステップＳ１として、売上商品に係るデータ入力に基づく売上合計金額の算出について簡単に説明する。サテライトＰＯＳ端末１のＰＯＳ制御部１７は、オペレータによって売上商品に付されたバーコード（商品コード）がバーコードスキャナ１６を介して入力されたと判断すると、当該商品コードに対応付けられている商品名や単価を商品マスタファイルＦ１１は、商品コードに対応付けて商品名や単価を取得して、売上処理における商品登録処理を実行し、小計キーの押下によって売上合計金額の算出処理（ステップＳ２）を実行する。
【００２３】
次に、本実施の形態のサテライトＰＯＳ端末１が備える特長的な機能である決済種別を構成する各種の構成要素毎の決済処理について説明する。サテライトＰＯＳ端末１における商品登録処理および売上合計金額の算出処理の後（ステップＳ１，Ｓ２）、ＰＯＳ制御部１７は、キーボード１２のクレジットキーの押下操作によるクレジットカードによる決済の宣言の入力（ステップＳ３）、キーボード１２の電子マネーキーの押下操作による電子マネーによる電子商取引決済の宣言の入力（ステップＳ７）、キーボード１２の金券キーの押下操作による金券（商品券）による決済の宣言の入力（ステップＳ１１）、キーボード１２の預／現計キーの押下操作による現金による決済の宣言の入力（ステップＳ１８）の何れかに待機する。
【００２４】
（１．クレジットカード会社（支払区分、支払回数）毎の集計）
サテライトＰＯＳ端末１における商品登録処理および売上合計金額の算出処理の後（ステップＳ１，Ｓ２）、キーボード１２のクレジットキーの押下操作によってクレジットカードによる決済が宣言され（ステップＳ３のＹｅｓ）、クレジットカードによる決済が完了する（ステップＳ４）。ＰＯＳ制御部１７は、今回取引時に決定された決済種別を構成する各種の構成要素である「クレジット会社コード」、「支払区分」、「支払回数」に対応する組合せを、摘要マスタファイルＦ１３から該当する摘要コードとして判定し（ステップＳ５）、売上金額を摘要コード毎に集計する（ステップＳ６）。摘要コード毎の売上金額は、ＰＯＳ売上ファイルＦ１２の摘要別メモリエリアＦ１２ｃの摘要コードエリアに売上データとして格納される。また、標準メモリエリアＦ１２ａにも売上データが加算される。
【００２５】
（２．電子マネーの発行会社毎の集計）
サテライトＰＯＳ端末１における商品登録処理および売上合計金額の算出処理の後（ステップＳ１，Ｓ２）、クレジットキーが押下されずに（ステップＳ３のＮｏ）、キーボード１２の電子マネーキーの押下操作によって電子マネーによる電子商取引決済が宣言され（ステップＳ７のＹｅｓ）、電子マネーによる決済が完了する（ステップＳ８）。ＰＯＳ制御部１７は、今回取引時に決定された決済種別を構成する各種の構成要素である「電子マネー発行会社」を、摘要マスタファイルＦ１３から検索し、対応する摘要コードを判定し（ステップＳ９）、売上金額を摘要コード毎に集計する（ステップＳ１０）。摘要コード毎の売上金額は、ＰＯＳ売上ファイルＦ１２の摘要別メモリエリアＦ１２ｃの摘要コードエリアに売上データとして格納される。また、標準メモリエリアＦ１２ａにも売上データが加算される。摘要コードの判定は、下記に示す判定条件に従う。
電子マネー発行会社：電子マネー発行会社からの折返しデータより取得
【００２６】
（３．金券の種類毎の集計）
サテライトＰＯＳ端末１における商品登録処理および売上合計金額の算出処理の後（ステップＳ１，Ｓ２）、クレジットキーが押下されずに（ステップＳ３のＮｏ）、また電子マネーキーも押下されず（ステップＳ７のＮｏ）、キーボード１２の金券キーの押下操作によって金券（商品券）による決済が宣言されると（ステップＳ１１のＹｅｓ）、ＰＯＳ制御部１７は、図５に示すような金券プリセット画面２００を表示器１４に表示する（ステップＳ１２）。
【００２７】
図５は、金券プリセット画面２００を示す正面図である。図５に示すように、金券プリセット画面２００には、決済種別を構成する各種の構成要素である「各種の金券」を選択的に指定可能にする複数のプリセットボタン２０１が設けられている。このような複数のプリセットボタン２０１は、それぞれ摘要コードに対応付けられている。プリセットボタン２０１の各摘要名称は、後述するマスタＰＯＳ端末３の摘要マスタファイルＦ３から取得するものとする。これにより、摘要マスタファイルＦ３の名称更新のみで金券プリセット画面２００の変更も出来るようになっている。また、図５に示すように、金券プリセット画面２００には、画面操作メニュー（ナビメニュー）として、入力を行わずに前画面に戻る場合に操作する閉じるボタン２０２と、複数ページ存在する場合に前ページまたは次ページに移動できるようにする前頁ボタン２０３および次頁ボタン２０４が設けられている。
【００２８】
続くステップＳ１３では、金券プリセット画面２００上の何れかのプリセットボタン２０１の画面タッチによる押下操作による金券（商品券）による決済の宣言入力がなされるまで待機する（ステップＳ１３のＮｏ）。ここで、プリセットボタン２０１の押下操作方法として、下記の３通りの方法が挙げられる。
１．何れかのプリセットボタン２０１の押下操作のみによる決済方法
２．置数キーによる「金額」の入力後、何れかのプリセットボタン２０１の押下操作による決済方法（例えば２００円の金券であれば、置数キー「２」「０」「０」を押下した後、プリセットボタン２０１の「２００円の金券」を押下する。）
３．置数キーによる「数量×金額」の入力後、何れかのプリセットボタン２０１の押下操作による決済方法（複数枚の金券を登録処理する場合、例えば２００円の金券２枚であれば、置数キー「２」を押下し、「＊」を押下し、その後に置数キー「２」「０」「０」を押下し、最後にプリセットボタン２０１の「２００円の金券」を押下する。）
【００２９】
金券プリセット画面２００上の何れかのプリセットボタン２０１の画面タッチによる押下操作によって金券（商品券）による決済が宣言されると（ステップＳ１３のＹｅｓ）、プリセットボタン２０１の押下操作によって指定された金券（商品券）による決済が完了する（ステップＳ１４）。ＰＯＳ制御部１７は、今回取引時に決定されたプリセットボタン２０１に対応付けられている摘要コード毎に集計する（ステップＳ１５）。摘要コード毎の売上金額は、ＰＯＳ売上ファイルＦ１２の摘要別メモリエリアＦ１２ｃの摘要コードエリアに売上データとして格納される。なお、乗算登録した場合は、乗算数を数量としてカウントさせる。また、標準メモリエリアＦ１２ａおよび現金締めメモリエリアＦ１２ｂにも売上データを加算する。
【００３０】
なお、何れかのプリセットボタン２０１が画面タッチによって押下操作された後、ＰＯＳ制御部１７は、通常の締め画面（図示せず）に戻すとともに（ステップＳ１６）、支払いの残り金額が“０”であるか否かを判断する（ステップＳ１７）。支払いの残り金額が“０”でなければ（ステップＳ１７のＮｏ）、ステップＳ３に戻る。一方、支払いの残り金額が“０”であれば（ステップＳ１７のＹｅｓ）、処理を終了する。なお、乗算登録後、締め画面に戻った場合には、預かり金額の枚数欄に乗算数をセットする。このようにプリセット登録が終わった後は締め画面に戻り、同一券も含め再度登録する場合には、操作者は、キーボード１２の金券キーを再度押下することになる。すなわち、何れかのプリセットボタン２０１の画面タッチによる押下操作のみによる決済は、オーバーテンドおよびショートテンドの何れにも対応可能である。
【００３１】
（４．現金毎の集計）
サテライトＰＯＳ端末１における商品登録処理および売上合計金額の算出処理の後（ステップＳ１，Ｓ２）、クレジットキーが押下されずに（ステップＳ３のＮｏ）、また電子マネーキーも押下されず（ステップＳ７のＮｏ）、金券キーが押下されないなら（ステップＳ１１のＮｏ）、キーボード１２の預／現計キーの押下操作によって現金による決済が宣言され（ステップＳ１８のＹｅｓ）、決済種別を構成する各種の構成要素である「現金」による決済が完了する（ステップＳ１９）。ＰＯＳ制御部１７は、今回取引時に決定された預／現計キーに対応付けられた摘要コードに集計する（ステップＳ２０）。摘要コード毎の売上金額は、ＰＯＳ売上ファイルＦ１２の摘要別メモリエリアＦ１２ｃの摘要コードエリアに売上データとして格納される。また、標準メモリエリアＦ１２ａおよび現金締めメモリエリアＦ１２ｂにも売上データが加算される。
【００３２】
なお、決済種別を構成する各種の構成要素を紙幣や硬貨の種別である「金種」とすることも可能である。この場合、決済種別を構成する各種の構成要素である「金種」を選択的に指定可能にする複数のプリセットボタンが設けられているプリセット画面を用意しておき、複数のプリセットボタンにはそれぞれ摘要コードを対応付ける。これにより、プリセット画面上の何れかのプリセットボタンの画面タッチによる押下操作によって現金（金種毎）による決済が宣言される。
【００３３】
以上のようにして売上処理における決済処理が完了すると、ＰＯＳ制御部１７はプリンタ２２を制御して、取引単位でのレシートの発行を行うとともに、並行してジャーナル用紙への印字を行う。金券（商品券）による決済があった場合には、レシートには、指定された金券プリセット画面２００を起動する際に操作される金券キーのキー名称で決済の内訳が印字される。一方、金券（商品券）による決済があった場合には、ジャーナルには、プリセットボタン２０１のプリセット名称、数量、金額が、決済の内訳として印字される。なお、プリセットボタン２０１のプリセット名称は、印字範囲の桁数で印字される。また、複数回にわたって金券プリセット画面２００を起動して金額登録した場合は、回数分の行が印字される。
【００３４】
次に、精算処理におけるデータ出力処理について説明する。図７は、精算処理の流れを示すフローチャートである。サテライトＰＯＳ端末１のＰＯＳ制御部１７は、所定の時刻および精算時に（ステップＳ２１のＹｅｓ）、ＰＯＳ売上ファイルＦ１２（標準メモリエリアＦ１２ａ、現金締めメモリエリアＦ１２ｂ、摘要別メモリエリアＦ１２ｃ）に記憶されている売上データ（集計結果）をレシートに印字出力するとともに（ステップＳ２２）、集計結果をマスタＰＯＳ端末３に出力する（ステップＳ２３：出力手段）。一方、サテライトＰＯＳ端末１から売上データを受信したマスタＰＯＳ端末３のＰＯＳ制御部１７は、売上集計ファイルＦ２の売上集計データを更新して本部システム１０２に送信する。
【００３５】
次に、本実施の形態のマスタＰＯＳ端末３が備える特長的な機能である摘要マスタファイルＦ３および摘要プリセットファイルＦ４の作成処理について説明する。摘要マスタファイルＦ３および摘要プリセットファイルＦ４の作成処理は、画面からの登録により摘要マスタファイルＦ３／摘要プリセットファイルＦ４の登録を行うものである。
【００３６】
マスタＰＯＳ端末３のモードキー（図示せず）の操作によってメンテナンスモードへの切り替えが宣言されると、マスタＰＯＳ端末３のＰＯＳ制御部１７は、メンテナンス画面（図示せず）を表示器１４に表示する。メンテナンス画面には、摘要マスタファイルＦ３のメンテナンスを宣言するための摘要マスタボタンと、摘要プリセットファイルＦ４のメンテナンスを宣言するための摘要プリセットボタンとが設けられている。メンテナンス画面は、初期設定では、摘要マスタの登録を行うための摘要マスタファイルＦ３のメンテナンス画面が表示されている。
【００３７】
加えて、摘要マスタファイルＦ３のメンテナンス画面には、新規入力時に押下することにより次画面に移動する入力ボタンと、行の内容を変更する変更ボタンと、行を削除する削除ボタンと、摘要一覧を印字する印字ボタンと、摘要一覧をプレビューで確認するためのプレビューボタンと、登録された内容を各サテライトＰＯＳ端末１に反映させる反映ボタンと、が設けられている。
【００３８】
入力ボタンが押下されると、マスタＰＯＳ端末３のＰＯＳ制御部１７は、摘要マスタ登録画面（図示せず）を表示器１４に表示する。摘要マスタ登録画面には、摘要コードの入力を受け付ける摘要コード入力部と、摘要名称の入力を受け付ける摘要名称入力部と、レジ項目の入力を受け付けるレジ項目入力部と、摘要データの発生元を示す入力区分の入力を受け付ける区分入力部と、入力区分の番号（計Ｎｏ．）の入力を受け付ける区分番号入力部と、が設けられている。なお、区分入力部で入力される入力区分はプルダウンによる選択が可能になっており、「クレジット」「電子マネー」「金券」「現金」が選択可能である。
【００３９】
このように摘要マスタファイルＦ３のメンテナンス画面および摘要マスタ登録画面を用いることにより、マスタＰＯＳ端末３において記憶される摘要マスタファイルＦ３が作成される。
【００４０】
一方、摘要プリセットボタンが押下されると、マスタＰＯＳ端末３のＰＯＳ制御部１７は、摘要プリセット登録画面（図示せず）を表示器１４に表示する。摘要プリセット登録画面は、金券（商品券）のプリセットボタン２０１の登録を行うための画面である。このような摘要プリセット登録画面には、１２のプリセットボタンが用意されている。また、摘要プリセット登録画面には、レジパターン番号を指定する番号入力部と、プリセットボタン番号を指定するプリセット番号入力部と、プリセットボタンと連動させるための入力区分の番号（計Ｎｏ．）を選択可能にする区分番号選択部と、が設けられている。
【００４１】
ここで、摘要プリセット登録画面の何れかのプリセットボタンが押下されると、マスタＰＯＳ端末３のＰＯＳ制御部１７は、摘要プリセット登録画面（図示せず）を表示器１４に表示する。摘要プリセット登録画面には、選択されたプリセットボタンのキー入力を可能にする旨（摘要）を宣言する適用入力部と、摘要マスタファイルＦ３の一覧表示から所望の摘要コードおよび名称を選択する摘要コード選択部と、パレット表示によりプリセットボタンの文字色を選択できるようにする文字色選択部と、パレット表示によりプリセットボタン６０１の背景色を選択できるようにする背景色選択部と、が設けられている。
【００４２】
このように摘要プリセット登録画面および摘要プリセット登録画面を用いることにより、マスタＰＯＳ端末３において記憶される摘要プリセットファイルＦ４が作成される。
【００４３】
また、マスタＰＯＳ端末３のＰＯＳ制御部１７は、精算時に、各サテライトＰＯＳ端末１でメモリエリアに集計された決済種別を構成する各種の構成要素毎（すなわち、摘要コード別）の決済金額を、各サテライトＰＯＳ端末１から取得して更新する。なお、更新後、各サテライトＰＯＳ端末１のメモリエリアはクリアされる。
【００４４】
マスタＰＯＳ端末３のＰＯＳ制御部１７は、図８に示すように、精算時に出力する「現金締めレポート」Ｒに各サテライトＰＯＳ端末１から取得して集計された決済種別を構成する各種の構成要素毎の明細を含める。
【００４５】
このように本実施の形態によれば、売上商品に係るデータ入力に基づいて算出した売上合計金額に対する決済にかかる決済種別を構成する各種の構成要素を判定し、判定された決済種別を構成する各種の構成要素毎の決済金額を集計することにより、多様化した決済種別を構成する各種の構成要素毎の決済金額を集計することができる、という効果を奏する。
【符号の説明】
【００４６】
１，３    商品販売データ処理装置
１４      表示器
２００    プリセット画面
２０１    プリセットボタン
【先行技術文献】
【特許文献】
【００４７】
【特許文献１】特開２００６−０７２４０３号公報
【図１】
2010204774.tif 000003
【図２】
2010204774.tif 000004
【図３】
2010204774.tif 000005
【図４】
2010204774.tif 000006
【図５】
2010204774.tif 000007
【図６】
2010204774.tif 000008
【図７】
2010204774.tif 000009
【図８】
2010204774.tif 000010